(57)【要約】      （修正有）【課題】事前に銀行口座を会員情報に登録したくないファンが、トータリゼータ端末により現金でインターネット投票を行うことを可能にする端末/サーバ通信装置、トータリゼータシステム、及びインターネット投票方法を提供する。【解決手段】端末/サーバ通信装置３は、サーバ１とトータリゼータ端末２との間に配置され、サーバ１に対してログインして、サーバ１に対するインターネット投票サービスを可能にするサーバ向け処理部１０と、準備金と各トータリゼータ端末２からの入金情報を併合して現金情報の管理を行うと共に、トータリゼータ端末２からのインターネット投票を前記現金情報に基づいて実行する制御部２０と、を有している。これにより、事前に銀行口座を会員登録しなくても、トータリゼータ端末２からインターネット投票を端末/サーバ通信装置３が管理する現金情報に基づいて行うことができる。【選択図】図２
2015106224.tif 000002
【特許請求の範囲】
【請求項１】
インターネット投票サービスを提供するサーバと、現金取引端末との間に配置される端末/サーバ通信装置であって、
前記サーバに対してログインして、前記サーバに対する前記インターネット投票サービスを可能にするサーバ向け処理部と、
前記現金取引端末からの入金情報を、払戻の準備のための準備金と併合して現金情報として管理を行うと共に、前記現金取引端末からのインターネット投票を前記現金情報に基づいて実行する制御部と、
を有することを特徴とする端末/サーバ通信装置。
【請求項２】
前記制御部と前記現金取引端末との間に設けられ、前記現金取引端末からのインターネット投票の情報及び入金情報を前記制御部へ転送すると共に、前記制御部からの応答を前記現金取引端末へ返送する端末向け処理部を、
更に有することを特徴とする請求項１に記載の端末/サーバ通信装置。
【請求項３】
前記制御部は、
前記準備金の入金、及びレース終了後に主催者に回収金を納金する準備/納金処理部と、
前記インターネット投票を実行する投票処理部と、
前記インターネット投票に伴う減算処理、及び的中金の払い戻しを行う減算/払戻処理部と、
を有することを特徴とする請求項1又は２に記載の端末/サーバ通信装置。
【請求項４】
ファンが事前登録及びログインを行うことなく、前記インターネット投票が可能であることを特徴とする請求項１〜３のいずれか１項に記載の端末/サーバ通信装置。
【請求項５】
インターネット投票サービスを提供するサーバと、
請求項１〜４のいずれか１項に記載の端末/サーバ通信装置と、
前記端末/サーバ通信装置と専用回線で接続された、現金取引端末と、を備え、
前記サーバと、前記端末/サーバ通信装置とが相互に通信可能に接続されたことを特徴とするトータリゼータシステム。
【請求項６】
現金と投票内容をマークした投票カードにより前記インターネット投票が可能であることを特徴とする請求項５に記載のトータリゼータシステム。
【請求項７】
インターネット投票サービスを提供するサーバと、現金取引端末とが、請求項１〜４のいずれか１項に記載の端末/サーバ通信装置を介して、相互に通信可能に接続されたトータリゼータシステムにおけるインターネット投票方法であって、
前記端末/サーバ通信装置からサーバに対して準備金を登録する第１処理と、
前記現金取引端末から前記端末/サーバ通信装置に対してインターネット投票の申し込みを行う第２処理と、
前記準備金と前記現金を併合して、現金情報として登録する第３処理と、
前記端末/サーバ通信装置からサーバに対して前記インターネット投票を前記現金情報に基づいて実行する第４処理と、
を有することを特徴とするインターネット投票方法。
【請求項８】
前記現金取引端末から前記端末/サーバ通信装置に対する払戻要求を受け付けて、払戻金の額を算出して前記現金取引端末へ返送する第５処理
を更に有することを特徴とする請求項７に記載のインターネット投票方法。
【発明の詳細な説明】
【技術分野】
【０００１】
本発明は、現金投票用のトータリゼータ端末によりインターネット投票を可能にする端末/サーバ通信装置、トータリゼータ端末によりインターネット投票可能なトータリゼータシステム、及びトータリゼータ端末によるインターネット投票方法に関する。
【背景技術】
【０００２】
従来から現在に至るまで、トータリゼータ端末等による現金投票が行われている。一方、近年、クライアント端末からサーバにアクセスしてインターネット投票サービスの提供を受けることができる。インターネット投票サービスは、現金投票よりも高倍率の配当が得られるファンに魅力的なサービスを含んでいる。例えば、日本中央競馬会（ＪＲＡ）が発売する５重勝単勝式の勝馬投票券として、WIN5（ウィンファイブ）がある。このWIN5は、指定の５レースの１着をすべて当てるもので、１００円当たりの払戻金の上限は２億円であり、２０１１年４月から、インターネット投票のみで発売されている。又、競輪で導入され、インターネット投票のみでサービスが提供されているチェリロトは、コンピュータが自動的に番号を発行するくじ感覚のクイックピック・チケットであり、当選者が一人もでなかった場合には、払戻金全額が次回のレース日にキャリーオーバ（繰り越し）され、２００円で最大１２億円のチャンスが得られる。
【０００３】
本発明に関連する文献には、下記特許文献１、２がある。特許文献１には、キャッシュレス投票システムにおいて会員登録された銀行口座から入金することにより、インターネット投票が可能なことが記載されている。又、特許文献２には、公営競技場で投票券の管理をする運営システムとは別に、現金取扱装置での現金と電子マネーとの換金を管理する換金管理サーバを設けることにより、公営競技場の運営をより効率的にすることが記載されている。
【先行技術文献】
【特許文献】
【０００４】
【特許文献１】特開２００５−１３５２０１号公報
【特許文献２】特開２００５−１８５０８号公報
【発明の概要】
【発明が解決しようとする課題】
【０００５】
しかしながら、現行のトータリゼータシステムでは、以下の（ａ），（ｂ）のような課題があった。
【０００６】
（ａ）トータリゼータ端末は、現金投票用の端末であるため、インターネット投票のサービスを提供するサーバに対して入金する手段を有せず、インターネット投票を行うことができない。
【０００７】
（ｂ）キャッシュレス投票システムによりインターネット投票を行うためには、事前に銀行口座を会員情報に登録しておく必要がある。
【０００８】
そこで、本発明は、事前に銀行口座を会員情報に登録したくないファンが、トータリゼータ端末により現金でインターネット投票を行うことを可能にする端末/サーバ通信装置、トータリゼータシステム、及びインターネット投票方法を提供することを目的とする。
【課題を解決するための手段】
【０００９】
本発明の第１の側面における端末/サーバ通信装置は、インターネット投票サービスを提供するサーバと、現金取引端末との間に配置される端末/サーバ通信装置であって、前記サーバに対してログインして、前記サーバに対する前記インターネット投票サービスを可能にするサーバ向け処理部と、前記現金取引端末からの入金情報を、払戻の準備のための準備金と併合して現金情報として管理を行うと共に、前記現金取引端末からのインターネット投票を前記現金情報に基づいて実行する制御部と、を有することを特徴とする。
【００１０】
第２の側面におけるトータリゼータシステムは、インターネット投票サービスを提供するサーバと、前記端末/サーバ通信装置と、前記端末/サーバ通信装置と専用回線で接続された現金取引端末と、を備え、前記サーバと、前記端末/サーバ通信装置とが相互に通信可能に接続されたことを特徴とする。
【００１１】
第３の側面におけるインターネット投票方法は、インターネット投票サービスを提供するサーバと、現金取引端末とが、請求項１〜３のいずれか１項に記載の端末/サーバ通信装置を介して、相互に通信可能に接続されたトータリゼータシステムにおけるインターネット投票方法であって、前記端末/サーバ通信装置からサーバに対して準備金を登録する第１処理と、前記現金取引端末から前記端末/サーバ通信装置に対してインターネット投票の申し込みを行う第２処理と、前記準備金と前記現金を併合して、現金情報として登録する第３処理と、前記端末/サーバ通信装置からサーバに対して前記インターネット投票を前記現金情報に基づいて実行する第４処理と、を有することを特徴とする。
【発明の効果】
【００１２】
本発明によれば、事前に銀行口座を会員登録しなくても、トータリゼータ端末からインターネット投票を端末/サーバ通信装置が管理する現金情報に基づいて行うことが可能である。
【図面の簡単な説明】
【００１３】
【図１】本発明の実施形態のトータリゼータシステム全体の例を示すシステム構成図である。
【図２】図１中の端末/サーバ通信装置３の概略を示すブロック図である。
【図３】図２中の現金情報２５の例を示す図である。
【図４】（ａ）は、現行のトータリゼータシステム全体の例を示すシステム構成図であり、（ｂ）は、現行の現金処理のシーケンスチャートである。
【図５】現行のインターネット投票サービス処理の流れを示すシーケンスチャートである。
【図６】本発明の実施形態のトータリゼータシステムにおけるインターネット投票の処理の流れを示すシーケンスチャートである。
【発明を実施するための形態】
【００１４】
以下に本発明の実施形態について図面を参照しながら詳細に説明する。
【００１５】
（実施形態の構成）
図１は、本発明の実施形態のトータリゼータシステム全体の例を示すシステム構成図である。
【００１６】
本実施形態のトータリゼータシステムは、インターネット投票サービスを提供するサーバ１と、１又は複数の現金投票端末としてのトータリゼータ端末２（２−１，２−１，・・・，２−ｎ）と、が複数の端末/サーバ通信端末３（３−１，・・・，３−ｎ）を介して接続されている。サーバ１と複数の端末/サーバ通信端末３との間は、インターネットにより相互に通信可能に接続されている。トータリゼータ端末２と端末/サーバ通信端末３とは、専用回線により接続されている。
【００１７】
図２は、図１中の端末/サーバ通信装置の概略を示すブロック図である。
図１中の端末/サーバ通信端末３は、サーバ１とのインタフェースであるサーバ向け処理部１０と、現金情報の管理やインターネット投票を行う制御部２０と、トータリゼータ端末とのインタフェースであるトータリゼータ端末向け処理部３０と、を有している。
【００１８】
サーバ向け処理部１０は、サーバ１と制御部２０とのインタフェースである通信処理部１１と、複数ある端末/サーバ通信装置３を特定するための装置情報を格納する記憶領域１２と、を有している。サーバ向け処理部１０内の通信処理部１１を介してサーバ１へログイン処理できるようになっている。例えば、サーバ向け処理部１０に、図示しない保守端末を接続するためのインタフェースを設けて、図示しない保守端末からサーバ１へログイン処理をしても良い。又、サーバ向け処理部１０に接続された図示しない表示・操作部を設けて、図示しない表示・操作部からログイン処理をするようにしても良い。ログイン処理は、端末/サーバ通信装置３毎に付与された装置番号と装置番号と紐付けされた銀行口座番号等の装置情報と、パスワードを入力することにより行われる。主催者が通信処理部１１を介してサーバ１へログイン処理を行うと、端末/サーバ通信装置３とそれに接続された複数のトータリゼータ端末２が、後述する１つのクライアント端末と同様に機能し、サーバ１は、端末/サーバ通信装置３に紐付けられた銀行口座から出金することによってインターネット投票サービスへの参加が可能になる。尚、サーバ１に対してインターネット投票する際のサーバ１への入金は、端末/サーバ通信装置３からサーバ１への入金情報に基づいて、主催者がサーバ１へ入金しても良い。
【００１９】
制御部２０は、現金処理の全体を司る現金処理部２１と、予め主催者が払い戻しの準備のために入金する準備金や主催者に回収金を納金する処理を行う準備/納金処理部２２と、インターネット投票を行う投票処理部２３と、インターネット投票に伴う的中金の払い戻し及び現金情報からインターネット投票に伴うサーバ１への入金を減ずる減算処理を行う払戻/減算処理部２４と、管理されている現金情報を格納する記憶領域２５と、を有している。図２では、装置情報を格納する記憶領域１２と、現金情報を格納する記憶領域２５と、２つの記憶領域があると説明したが、１つの記憶領域に、装置情報と現金情報とを共に格納しても良い。
【００２０】
外部装置４０は、主催者がレース開催前に、払戻のための準備金を現金情報として記憶領域２５に設定できるようになっている。ここで、準備金は、レース開催当日のサービス開催前に、主催者が各トーラリゼータ端末２に払戻の準備のために入金しておく現金である。例えば、端末/サーバ通信装置３に接続されているトータリゼータ端末２が１０台あり、払戻の準備のために１台当たり１００万円を入金した場合は、その合計金額１０００万円が準備金となる。この場合、外部装置４０は、準備金１０００万円を現金情報として記憶領域２５に設定する。外部装置４０は、例えば、パーソナルコンピュータ等により構成される。前述した通信処理部１１を介してサーバ１へ行うログイン処理により端末/サーバ通信装置３に紐付けられた銀行口座には、準備金相当の残金が入っているものとする。
【００２１】
端末向け処理部としてのトータリゼータ端末向け処理部３０は、複数のトータリゼータ端末２（＝２−１〜２−ｎ）からの入金情報やインターネット投票の申し込みを受けて、タイミングを合わせ、所定のフォーマットに情報を載せて、制御部２０へ出力するものであり、トータリゼータ端末２と制御部２０とのインタフェースとしての通信処理部３１を有している。
【００２２】
トータリゼータ端末２は、ファンが現金を投入してインターネット投票の申し込みを行い、インターネット投票の申し込み内容に誤りがなく、入金不足でない場合に、インターネット投票を許可し、端末/サーバ通信装置３内のトータリゼータ端末向け処理部３０に対し、入金情報とインターネット投票の情報を出力する。又、トータリゼータ端末２は、ファンが当選券を投入すると、開催前に主催者により格納された準備金とファンが投入した現金と合計金から当選金をファンに払い戻す機能を有する。更に、主催者は、その日の全てのレースが終了して、レース場のサービスを終了した後に、各トータリゼータ端末２から残金を回収金として回収する。
【００２３】
図３は、図２中の記憶領域２５に格納された現金情報のデータベース例を示す図である。
【００２４】
現金情報２５は、主催者が予め各トータリゼータ端末２へ入金しておく準備金、例えば、１００万円と、ファンが投票のために入金する入金額、例えば、トータリゼータ端末２−１の入金額１０，０００円、トータリゼータ端末２−２の入金額２００，０００円、・・・トータリゼータ端末２−ｎの入金額３００円といったトータリゼータ端末２毎の入金額の情報と、端末/サーバ通信装置３−１に接続された複数のトータリゼータ端末２の準備金と入金額との合計金額１５０，０００，５００円から構成されている。サーバ１と端末/サーバ通信装置３−１との間でインターネット投票を行う際には、端末/サーバ通信装置３−１の現金情報２５は、合計金額の１５０，０００，５００円が一塊の情報として扱われる。一方、各トータリゼータ端末２−１，・・・,２−ｎからの入金額は、個別に管理されている。
【００２５】
（実施形態の動作）
本発明の実施形態について、（Ｉ）現行の現金投票処理と、（II）現行のインターネット投票の処理と、（III）本発明の実施形態のインターネット投票の処理と、に分けて説明する。
【００２６】
（Ｉ）現行の現金投票処理
図４（ａ）は、現行のトータリゼータシステム全体の例を示すシステム構成図であり、図４（ｂ）は、現行の現金処理を示すシーケンスチャートである。
【００２７】
図４（ａ）において、公営競技場内に設置された各トータリゼータ端末２（２−１，・・・２−ｎ）は、公営競技センタシステム５０に専用回線で接続されている。レース開催前に、主催者は、各トータリゼータ端末２に準備金を入金し、公営競技場のサービス終了後に、各トータリゼータ端末２に残っている残金を回収金として出金する。ファンは、各トータリゼータ端末２から現金と投票内容をマークした投票カード（以下、「マークカード」という。）を投入して投票をすることができる。
【００２８】
図４（ｂ）において、主催者が各トータリゼータ端末２−１，・・・２−ｎに準備金を入金すると、ステップＳ１−１・・・Ｓ１−ｎで、各トータリゼータ端末２−１，・・・２−ｎは、公営競技センタ５０に対して各々準備金の情報（準備金情報）の登録（準備金登録）を行い、ステップＳ２へ進む。ステップＳ２において、公営競技センタ５０は、準備金情報の登録を行い、ステップＳ３−１〜Ｓ３-nへ進む。
【００２９】
ファンが、各トータリゼータ端末２−１，・・・２−ｎから現金とマークカードを投入すると、ステップＳ３−１・・・Ｓ３−ｎにおいて、各トータリゼータ端末２−１，・・・２−ｎは、公営競技センタ５０に対して現金投票を行い、ステップＳ４へ進む。ステップＳ４において、公営競技センタ５０は、現金投票の発売金を集計し、発売金情報を登録し、ステップＳ５へ進む。ステップＳ５において、公営競技センタ５０は、準備金と発売金の合計からインターネット投票の金額を減算した減算金を算出し、減算金情報を登録し、ステップＳ６−１・・・Ｓ６−ｎへ進む。
【００３０】
投票したレース終了後に、ファンが、各トータリゼータ端末２−１，・・・２−ｎに、レースの予想が的中した投票券を投入すると、ステップＳ６−１，・・・Ｓ６−ｎにおいて、各トータリゼータ端末２−１，・・・２−ｎは、公営競技センタ５０に対して払戻要求を行い、ステップＳ７へ進む。ステップＳ７において、公営競技センタ５０は、各トータリゼータ端末２−１，・・・２−ｎへの払戻金を算出し、ステップＳ８−１・・・Ｓ８−ｎへ進む。ステップＳ８−１・・・Ｓ８−ｎにおいて、公営競技センタ５０は、各トータリゼータ端末２−１，・・・２−ｎに対し、払戻金情報を返送する。ファンは、各トータリゼータ端末２−１，・・・２−ｎにおいて、的中金の払戻金を受け取る。
【００３１】
その日の公営競技場のサービスが終了し、主催者が各トータリゼータ端末２−１，・・・２−ｎに対してサービス終了の操作を行うと、ステップＳ１２−１・・・Ｓ１２−ｎへ進む。ステップＳ１２−１・・・Ｓ１２−ｎにおいて、各トータリゼータ端末２−１，・・・２−ｎは、公営競技センタ５０に対して納金要求を行い、ステップＳ１１へ進む。ステップＳ１１において、公営競技センタ５０は、各トータリゼータ端末２−１，・・・２−ｎへの納金処理を行い、ステップＳ１２−１・・・Ｓ１２−ｎへ進む。ステップＳ１２−１・・・Ｓ１２−ｎにおいて、公営競技センタ５０は、各トータリゼータ端末２−１，・・・２−ｎへ納金情報を返送し、ステップＳ１３へ進む。ステップＳ１３において、主催者は、各トータリゼータ端末２から回収金として残金を回収する都と共に、回収金と納金情報とを照合し、その日の現金投票の処理を終了する。
【００３２】
図４（ｂ）から分かるように、各トータリゼータ端末２−１，・・・２−ｎは、公営競技センタ５０との間で、個別に、ステップＳ１−１〜Ｓ１３の処理を行っている。
【００３３】
図４（ａ），（ｂ）で説明した現行の現金投票は、事前に銀行口座を会員登録することなく、現金投票を行うことができるが、インターネット投票のサービス機能を有するサーバと接続するインタフェースを有ないため、インターネット投票を行うことができなかった。
【００３４】
（II）現行のインターネット投票の処理
図５は、現行のインターネット投票サービス処理の流れを示すシーケンスチャートである。
【００３５】
インターネット投票の処理が開始すると、ステップＳ２１へ進み、ステップＳ２１において、クライアント端末６０は、サーバ１に対して、ファンの銀行口座を指定して会員登録を行い、ステップＳ２２へ進む。ステップＳ２２において、サーバ１は、指定されたファンの銀行口座７０へ登録を行い、インターネット投票のための事前の登録処理を終了し、ステップＳ２３へ進む。
【００３６】
ステップＳ２３において、ファンがパスワード等を入力すると、クライアント端末６０は、サーバ１に対してログイン処理を行い、ステップＳ２４において、サーバ１は、会員確認認証を行うと、ステップＳ２５へ進み、クライアント端末６０に認証ＯＫのアックを返送し、ログイン処理を終了し、ステップＳ２６へ進む。
【００３７】
ステップＳ２６において、クライアント端末６０は、サーバ１に対して入金指示を行うと、ステップＳ２７へ進み、ステップＳ２１，２２で登録した銀行口座７０は、サーバ１の口座に入金指示に従った金額を出金し、ステップ２８へ進む。ステップＳ２８において、サーバ１は、クライアント端末６０に対して、銀行口座からサーバ口座への入金金額のデータを返送し、ステップＳ２９へ進む。ステップＳ２９において、クライアント端末６０は、入金金額が反映された画面を表示し、入金処理を終了し、ステップＳ３０へ進む。
【００３８】
ステップＳ３０において、クライアント端末６０は、サーバ１に対しインターネット投票を行うと、ステップＳ３１へ進む。ステップＳ３１において、サーバ１は、サーバ口座の残金から発売金を差し引いた金額に更新し、ステップＳ３２に進む。ステップＳ３２において、サーバ１は、サーバ口座の金額の情報をクライアント端末６０へ返送し、ステップＳ３３へ進む。ステップＳ３３において、サーバ１は、サーバ口座の残金を銀行口座７０へ入金し、インターネット投票の処理が終了する。
【００３９】
図５に示されたように、現行のインターネット投票では、クライアント端末６０からサーバ１に対して、ステップＳ２１，Ｓ２２の銀行口座の登録処理、及びステップＳ２３〜Ｓ２５のログイン処理を事前に行うことが必要である。
【００４０】
（III）本発明の実施形態のインターネット投票の処理
本発明の実施形態におけるトータリゼータシステムでは、図２中の端末/サーバ通信装置３内の記憶領域２５に、外部装置４０から設定された準備金と、ファンが各トータリゼータ端末２に対して入金された現金とを合計した現金情報を登録し、この現金情報を、図５中のサーバ口座の代わりに用い、準備金相当の残金が入っている銀行口座を端末/サーバ通信装置３を介してサーバ１と紐付けることにより、サーバ１に対してインターネット投票を行う。
【００４１】
図６は、本発明の実施形態のインターネット投票の処理の流れの一例を示すシーケンスチャートである。尚、図６では、端末/サーバ通信装置３内の記憶領域２５に格納された現金情報に対応して入出金される銀行口座７０については省略されている。
【００４２】
先ず、図２を参照しつつ、図６のシーケンスチャートに沿って、インターネット投票が可と判定される場合の処理の流れを説明する。尚、端末/サーバ通信装置３からサーバ１へのログインは、主催者側の担当者が、事前に行っているものとする。
【００４３】
図６において、１日の処理が開始されると、ステップＳ４１へ進む。主催者が外部装置４０から、各トータリゼータ端末２に対して入金した準備金の合計額を準備金情報として記憶領域２５に設定すると、ステップＳ４１において、端末/サーバ通信装置３は、準備金情報をサーバ１へ登録し、ステップＳ４２へ進む。尚、事前に行われているログイン処理によりサーバ１に端末/サーバ通信装置３を介して紐付けされた銀行口座７０には、準備金相当の残金があるものとする。ステップＳ４２において、サーバ１は、準備金情報が登録されたことを端末/サーバ通信装置３へ返信し、ステップＳ４３−１・・・Ｓ４３−ｎへ進む。以上により、主催者側のインターネット投票の準備が完了する。
【００４４】
ファンが各トータリゼータ端末２に対し現金を入金すると共に、インターネット投票の内容をマークしたインターネット投票用マークカードを投入すると、ステップＳ４３−１・・・Ｓ４３−ｎにおいて、各トータリゼータ端末２は、インターネット投票の内容の購入額が入金額以内のときは、入金額とインターネット投票の内容を受付けてＳ４４へ進む。ステップＳ４４において、端末/サーバ通信装置３は、ステップＳ４１で登録された準備金情報と、ステップＳ４３−１・・・Ｓ４３−ｎにおいて入金された現金の入金情報とを併合して現金情報として記憶領域２５へ保存し、ステップＳ４５−１，・・・Ｓ４５−ｎへ進む。準備金と現金を併合した現金情報２５の例が図３に示されている。ステップＳ４５−１，・・・Ｓ４５−ｎにおいて、端末/サーバ通信装置３の現金処理部２１は、各トータリゼータ端末２−１，・・・２−ｎへ入金を受付けた旨の応答を返信し、ステップＳ４６へ進む。
【００４５】
ステップＳ４６において、端末/サーバ通信装置３は、ステップＳ４３−１・・・Ｓ４３−ｎで各トータリゼータ端末２から申し込まれたインターネット投票をサーバ１に対し、実行し、ステップＳ４７へ進む。端末/サーバ通信装置３からサーバ１に対するインターネット投票の実行は、各トータリゼータ端末２から申し込まれたインターネット投票の内容に対応する購入金額を、記憶領域２５の現金情報からサーバ１に対して入金することにより行われる。記憶領域２５の現金情報からサーバ１に対して入金するのに対応して、銀行口座７０から出金される。ステップＳ４７において、サーバ１は、端末/サーバ通信装置３へインターネット投票を受付けた旨の応答を返信し、ステップＳ４８−１，・・・Ｓ４８−ｎへ進む。ステップＳ４８−１，・・・Ｓ４８−ｎにおいて、端末/サーバ通信装置３は、各トータリゼータ端末２−１，・・・２−ｎに対して、インターネット投票が実行された旨を通知し、インターネット投票の処理を終了し、ステップＳ４９へ進む。
【００４６】
ステップＳ４９において、端末/サーバ通信装置３は、ステップＳ４４で併合された現金情報からステップＳ４６のインターネット投票の際に、サーバ１へ入金した金額を差し引く減算処理を実行し、減算後の額を現金情報として記憶領域２５に上書き保存し、減算処理を終了し、ステップＳ５０−１，・・・Ｓ５０−ｎへ進む。
【００４７】
ファンが各トータリゼータ端末２−１，・・・２−ｎから払戻の要求をすると、ステップＳ５０−１，・・・Ｓ５０−ｎおいて、各トータリゼータ端末２−１，・・・２−ｎは、端末/サーバ通信装置３に払戻要求を行い、ステップＳ５１へ進む。ステップＳ５１において、端末/サーバ通信装置３は、サーバ１に対し払戻要求を行い、ステップＳ５２へ進む。ステップＳ５２において、サーバ１は、端末/サーバ通信装置３へ払戻要求に対する応答を返信すると、端末/サーバ通信装置３内の払戻/減算処理部２４は、各トータリゼータ端末２−１，・・・２−ｎに対する払戻金を算出する払戻処理を実行し、ステップＳ５３−１，・・・Ｓ５３−ｎへ進む。ステップＳ５３−１，・・・Ｓ５３−ｎにおいて、端末/サーバ通信装置３は、各トータリゼータ端末２−１，・・・２−ｎに対して払戻処理の結果である払戻金情報をそれぞれ返送する。各トータリゼータ端末２−１，・・・２−ｎは、払戻金の額を表示し、払戻処理を終了し、ステップＳ５４−１，・・・Ｓ５４−ｎへ進む。ファンは、トータリゼータ端末２から放出される払戻金を受け取る。
【００４８】
図６では、１レース分の処理のみが記載されているが、実際には、ステップＳ４３−１・・・Ｓ４３−ｎ〜ステップＳ５３−１・・・Ｓ５３−ｎの処理が、レース開催日の各レースについて繰り返される。
【００４９】
その日の全レースが終了し、公営競技のサービス終了後に、主催者が各トータリゼータ端末２−１，・・・２−ｎから端末/サーバ通信装置３に対してサービス終了の操作をすると、ステップＳ５４−１，・・・Ｓ５４−ｎにおいて、各トータリゼータ端末２−１，・・・２−ｎは、端末/サーバ通信装置３に対して納金要求を行い、ステップＳ５５へ進む。ステップＳ５５において、端末/サーバ通信装置３の準備/納金処理部２２は、各トータリゼータ端末２−１，・・・２−ｎへ納金すべき回収金を算出し、ステップＳ５６−１，・・・Ｓ５６−ｎへ進む。ステップＳ５６−１，・・・Ｓ５６−ｎにおいて、端末/サーバ通信装置３は、各トータリゼータ端末２−１，・・・２−ｎに、回収金を通知する。主催者は、各トータリゼータ端末２−１，・・・２−ｎから現金を回収すると共に、端末/サーバ通信装置３から通知された回収金情報と現金とを照合し、１日の処理を終了する。
【００５０】
本発明の実施形態におけるトータリゼータシステムは、端末/サーバ通信装置３内の制御部２０に記憶領域２５に現金情報を登録し、この現金情報からサーバ１へ出金することにより、サーバ１に対してインターネット投票を行う。そのため、現行のインターネット投票のように、ファンがクライアント端末６０からの銀行口座を指定した事前の会員登録の必要がない。
【００５１】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【００５２】
１                                  サーバ
２，２−１，・・・，２−ｎ          トータリゼータ端末
３，３−１，・・・，３−ｍ          端末/サーバ通信装置
１０                                  サーバ向け処理部
１２,２５                            記憶領域
２０                                  制御部
２１                                  現金処理部
２２                                  準備/納金処理部
２３                                  投票処理部
２４                                  減算/払戻処理部
３０                                  トータリゼータ端末向け処理部
４０                                  外部装置
５０                                  公営競技センタ
６０                                  クライアント端末
７０                                  銀行口座
【図１】
2015106224.tif 000003
【図２】
2015106224.tif 000004
【図３】
2015106224.tif 000005
【図４】
2015106224.tif 000006
【図５】
2015106224.tif 000007
【図６】
2015106224.tif 000008